(57)【特許請求の範囲】
【請求項１】
対面関係にある第１の対向壁面と、対面関係にある第２の対向壁面とからなる筒状貫通部を有し、前記第１の対向壁面に対して、前記第２の対向壁面同士を結ぶ方向に長い長孔が形成されるとともに、前記第２の対向壁面の一方側にロック用係止片が形成されたケース部材と、
両側面に形成した軸部を前記ケース部材の長孔に嵌合させた状態で前記筒状貫通部内に揺動可能に設置され、前記軸部が前記第２の対向壁面の他方側寄りの位置に定位した状態で揺動する際に、前記ロック用係止片の先端が摺接する揺動摺動面と、この揺動摺動面の一端部に前記ロック用係止片の先端が嵌合可能なロック用嵌合部とを有し、揺動操作により前記ロック用係止片の先端を前記ロック用嵌合部に嵌合させる際、前記第２の対向壁面の他方側への当接により前記第２の対向壁面の一方側方向への付勢力を発揮し、前記軸部を前記第２の対向壁面の一方側寄りの位置に移動させると同時に、前記ロック用係止片の先端を前記ロック用嵌合部に嵌合させ、かつこの嵌合状態を保持するロック状態保持用付勢片と、前記ロック用係止片の先端が前記ロック用嵌合部に嵌合した状態時に、相手側に設けられた被係止部材に係止することによりロック状態とする掛止部とを有する操作部材とからなることを特徴とする留め具。
【請求項２】
ロック状態時に、前記ケース部材の筒状貫通部を前記操作部材の見付け側の壁面によって閉鎖するようにしてある請求項１記載の留め具。
【請求項３】
前記ケース部材は、見付け側の周縁部にフランジ部を備え、前記筒状貫通部が前記フランジ部の背面側に連続して設けられ、前記筒状貫通部の外面に爪片が設けられ、前記爪片と前記フランジ部とにより該留め具が取り付けられる貫通孔の周縁を挟持することにより嵌着状態で取付対象部材に対して固定される請求項１、２いずれかに記載の留め具。
【発明の詳細な説明】
【技術分野】
【０００１】
本発明は、例えばパネル状部材（封鎖板等）を枠部に対して固定したり、開閉扉を閉扉状態にロックするための留め具に関する。
【背景技術】
【０００２】
パネル状部材を枠部に対して固定したり、或いは開閉扉を閉戸状態に保持するための留め具が種々提案されている。
【０００３】
例えば、下記特許文献１には、開閉扉に設けたロックケースに支持ピンを取付け、支持ピンに取手とロック体とをそれぞれ揺動できるように取付け、ロック体と支持ピンとロックケースとの間にロック体にロック力を付与するトーションばねを取付け、ロック体にはラッチに対する引掛け鈎部およびロックケースに対するストッパーを形成するとともに連動用ピンを設け、取手に一端を固定したフックの鈎部をロック体の連動用ピンに掛け合わせた開閉扉のロック装置が開示されている。
【０００４】
下記特許文献２には、ノブ本体を摘み易く扁平中空に形成し、その基端に突設した取付脚部に軸ピンによりプッシュレバーを枢着して可回転に内装し、その基端の押圧部をノブ本体一側に開設した開口部に押圧操作可能に配置する一方、先端のフックは扉取付枠のストライカと直接若しくは間接的に掛け外し自在に扉の取付孔に貫通配置して前記ストライカとの係合方向へ介在したばねにより弾発付勢してなるドアロックが開示されている。
【先行技術文献】
【特許文献】
【０００５】
【特許文献１】実開昭５７−７８３５６号公報
【特許文献２】実開昭５５−１７８５６２号公報
【発明の概要】
【発明が解決しようとする課題】
【０００６】
しかしながら、前記特許文献１に係るロック装置及び前記特許文献２に係るドアロックはいずれも、基本的にケースと、係止部材と、軸部材、付勢部材との４部材からなるものであり、部品点数が多くコスト高になるという問題があった。
【０００７】
そこで本発明の主たる課題は、部品点数の削減によりコスト低減を図った留め具を提供することにある。
【課題を解決するための手段】
【０００８】
上記課題を解決するために請求項１に係る本発明として、対面関係にある第１の対向壁面と、対面関係にある第２の対向壁面とからなる筒状貫通部を有し、前記第１の対向壁面に対して、前記第２の対向壁面同士を結ぶ方向に長い長孔が形成されるとともに、前記第２の対向壁面の一方側にロック用係止片が形成されたケース部材と、
両側面に形成した軸部を前記ケース部材の長孔に嵌合させた状態で前記筒状貫通部内に揺動可能に設置され、前記軸部が前記第２の対向壁面の他方側寄りの位置に定位した状態で揺動する際に、前記ロック用係止片の先端が摺接する揺動摺動面と、この揺動摺動面の一端部に前記ロック用係止片の先端が嵌合可能なロック用嵌合部とを有し、揺動操作により前記ロック用係止片の先端を前記ロック用嵌合部に嵌合させる際、前記第２の対向壁面の他方側への当接により前記第２の対向壁面の一方側方向への付勢力を発揮し、前記軸部を前記第２の対向壁面の一方側寄りの位置に移動させると同時に、前記ロック用係止片の先端を前記ロック用嵌合部に嵌合させ、かつこの嵌合状態を保持するロック状態保持用付勢片と、前記ロック用係止片の先端が前記ロック用嵌合部に嵌合した状態時に、相手側に設けられた被係止部材に係止することによりロック状態とする掛止部とを有する操作部材とからなることを特徴とする留め具が提供される。
【０００９】
上記請求項１記載の発明では、留め具が前記ケース部材と前記操作部材との２部材だけによって構成されるものであるため、部品点数の削減によりコスト低減を図ることが可能となる。前記ケース部材と操作部材との２部材によって固定具を構成可能とするために本発明では、前記操作部材に前記ロック状態保持用付勢片を一体的に設けることにより付勢部材を無くしている。
【００１０】
請求項２に係る本発明として、ロック状態時に、前記ケース部材の筒状貫通部を前記操作部材の見付け側の壁面によって閉鎖するようにしてある請求項１記載の留め具が提供される。
【００１１】
上記請求項２記載の発明では、ロック状態時に、前記ケース部材の筒状貫通部を前記操作部材の見付け側の壁面によって閉鎖するようにしたため、取付状態での外観が良好となる。
【００１２】
請求項３に係る本発明として、前記ケース部材は、見付け側の周縁部にフランジ部を備え、前記筒状貫通部が前記フランジ部の背面側に連続して設けられ、前記筒状貫通部の外面に爪片が設けられ、前記爪片と前記フランジ部とにより該留め具が取り付けられる貫通孔の周縁を挟持することにより嵌着状態で取付対象部材に対して固定される請求項１、２いずれかに記載の留め具が提供される。
【００１３】
上記請求項２記載の発明では、ケース部材を取付対象部材に設けた貫通孔に対して取り付けるための具体的態様例を示したものである。具体的には、前記ケース部材は、見付け側の周縁部にフランジ部を備え、前記筒状貫通部が前記フランジ部の背面側に連続して設けられ、前記筒状貫通部の外面に爪片が設けられ、前記爪片と前記フランジ部とにより該留め具が取り付けられる貫通孔の周縁を挟持することにより前記貫通孔に対して嵌着状態で固定されるようにしてある。前記爪片は、筒状貫通部の４つの外側面の内、少なくとも対向する２面に設けるようにするのが望ましい。
【発明の効果】
【００１４】
以上詳説のとおり本発明によれば、部品点数の削減によりコスト低減を図った留め具を提供できるようになる。
【図面の簡単な説明】
【００１５】
【図１】本発明に係る留め具１によって封鎖板２を枠体３に取り付けた状態を示す、(A)は見付け側からの斜視図、(B)は裏面側からの斜視図である。
【図２】その縦断面図である。
【図３】留め具１の分解図である。
【図４】留め具１を示す、(A)は背面側からの斜視図、(B)は正面側からの斜視図である。
【図５】(A)は留め具１のロック状態を半割縦断面図、(B)は留め具１の解除状態を半割縦断面図である。
【図６】ケース部材１１を示す、(A)は側面図、(B)は背面図、(C)は正面図、(D)は縦断面図である。
【図７】操作部材１２を示す、(A)は側面図、(B)は正面図、(C)は背面図である。
【図８】留め具１の操作手順（及び作動状態）を示すステップ図(A)〜(D)である。
【図９】本発明に係る留め具４によって開閉扉６を閉扉状態に保持した状態を示す、(A)は見付け側からの斜視図、(B)は裏面側からの斜視図である。
【図１０】(A)はその横断面図、(B)はその縦断面図である。
【図１１】留め具４の分解図である。
【図１２】留め具４の操作手順（及び作動状態）を示すステップ図(A)〜(C)である。
【発明を実施するための形態】
【００１６】
以下、本発明の実施の形態について図面を参照しながら詳述する。
【００１７】
〔第１形態例〕
図１及び図２に示される第１形態例は、封鎖板３を枠体３に取り付けるための留め具１として用いた例である。封鎖板２の四隅にはそれぞれ留め具１，１…が設けられ、枠体３の開口部に封鎖板２を取り付けた後、留め具１，１…によって固定を図るようにしたものである。具体的には、封鎖板２の四隅にそれぞれ開孔２ａが設けられ、この開孔２ａに対して留め具１が嵌着状態で設置され、一方枠体３の見込み面には施錠ピン５が設けられ、封鎖板２を枠体３に取り付けた状態で、留め具１を施錠操作することにより、前記施錠ピン５に係止して封鎖板２が外れないように固定するものである。
【００１８】
前記留め具１は、図３〜図５に示されるように、前記封鎖板２の四隅に設けた２ａに対して嵌着されるとともに、対面関係にある第１の対向壁面１３Ａ、１３Ｂと、対面関係にある第２の対向壁面１４Ａ、１４Ｂとからなる矩形断面の筒状貫通部１５を有し、前記第１の対向壁面１３Ａ、１３Ｂに対して、前記第２の対向壁面１４Ａ、１４Ｂ同士を結ぶ方向に長い長孔１１ａ、１１ａが形成されるとともに、前記第２の対向壁面１４Ａ、１４Ｂの一方側にロック用係止片１６が形成されたケース部材１１と、両側面に形成した軸部２０，２０を前記ケース部材１１の長孔１１ａ、１１ａに嵌合させた状態で前記筒状貫通部１５内に揺動可能に設置され、前記軸部２０，２０が前記第２の対向壁面１４Ａ、１４Ｂの他方側寄りの位置に定位した状態で揺動する際に、前記ロック用係止片１６の先端が摺接する揺動摺動面２１と、この揺動摺動面２１の一端部に前記ロック用係止片１６の先端が嵌合可能なロック用嵌合部２２とを有し、揺動操作により前記ロック用係止片１６の先端を前記ロック用嵌合部２２に嵌合させる際、前記第２の対向壁面１４Ａ、１４Ｂの他方側への当接により前記第２の対向壁面１４Ａ、１４Ｂの一方側方向への付勢力を発揮し、前記軸部２０を前記第２の対向壁面１４Ａ、１４Ｂの一方側寄りの位置に移動させると同時に、前記ロック用係止片１６の先端を前記ロック用嵌合部２２に嵌合させ、かつこの嵌合状態を保持するロック状態保持用付勢片２３と、前記ロック用係止片１６の先端が前記ロック用嵌合部２２に嵌合した状態時に、相手側（枠体３）に設けられた被係止部材（施錠ピン５）に係止することによりロック状態とする掛止部２４とを有する操作部材１２とからなる。
【００１９】
前記封鎖板２を枠体３に固定した状態時で、前記ケース部材１１の筒状貫通部１５を前記操作部材１２の見付け側の壁面２５によって閉鎖するようになっている（図４(B)参照）。
【００２０】
以下、さらに具体的に詳述する。
【００２１】
前記ケース部材１１は、詳細には図６に示されるように、封鎖板２の四隅に夫々形成した貫通孔２ａの見付け側の周縁部外面に係合するフランジ部１９を備え、前記筒状貫通部１５が前記フランジ部１９の背面側に連続して設けられ、前記筒状貫通部１５の上部外面に設けられた第１爪片１７と前記フランジ部１９とで前記貫通孔２ａの周縁を挟持し、かつ前記筒状貫通部１５の下部外面に設けられた第２爪片１８と、前記フランジ部１９とで前記貫通孔２ａの周縁を挟持することにより前記貫通孔２ａに対して嵌着状態で固定されるようになっている。
【００２２】
前記爪片１７，１８を設ける位置は少なくとも対向する２面、例えば本例のように、上面と下面とに夫々設けるようにするのがよい。貫通孔２ａへの取付は、先ず下側の爪片１８とフランジ部１９との間に貫通孔２ａの周縁を差し込んだならば、フランジ部１９の上側を押し込むようにすると、上側の爪片１７は筒状貫通部１５側方向への弾性変形性能を有しており、上側の爪片１７が弾性変形しながらフランジ部１９との間に貫通孔２ａの周縁部が自動的に嵌り込むようになっている。
【００２３】
前記筒状貫通部１５は、矩形断面となっており、両側壁面１３Ａ、１３Ｂと上壁面１４Ａと、下壁面１４Ｂとによって囲まれている。これらの壁面の内、前記両側壁面１３Ａ、１３Ｂが対面関係にある第１の対向壁面を構成し、前記上壁面１４Ａ及び下壁面１４Ｂが第２の対向壁面を構成する。
【００２４】
前記第１の対向壁面１３Ａ、１３Ｂに対して、前記第２の対向壁面１４Ａ、１４Ｂ同士を結ぶ方向（図示の上下方向）に長い長孔１１ａ、１１ａを形成するとともに、第２の対向壁面１４Ａ、１４Ｂの内の一方側、図示例では上壁面１４Ａ側にロック用係止片１６が形成されている。図示例では、前記ロック用係止片１６は断面Ｌ字状を成している。
【００２５】
次に、前記操作部材１２は、詳細には図７に示されるように、両側面に軸部２０，２０を有し、この軸部２０を半径の中心とする円弧状の揺動摺動面２１を有するとともに、この揺動摺動面２１の一端部に前記ロック用係止片１６の先端が嵌合可能なロック用嵌合部２２を有する。また、軸部２０の下部側には、片持ち梁状に側方に突出するとともに、先端が下部側に屈曲するロック状態保持用付勢片２３が形成されているとともに、軸部２０の側方側位置に枠体３の施錠ピン５に係止することにより封鎖板２を枠体３に対して固定する掛止部２４が下向きに形成されている。なお、図７(A)で軸部２０の右側に位置する鉛直面２５が操作押圧面となる。
【００２６】
前記ケース部材１１と操作部材１２とは、図３に示されるように、前記掛止部２４が筒状貫通部１５から背面側外部に露出する向きとなるようにしながら、操作部材１２の軸部２０，２０をケース部材１１の長孔１１ａ、１１ａに嵌合させるようにして組み立てられる。
【００２７】
組立て状態では、前記操作部材１２は、軸部２０を回転中心として所定範囲で揺動可能となっている。図８(A)に示されるように、解除状態では、前記軸部２０，２０が前記第２の対向壁面１４Ａ、１４Ｂの他方側寄り（下壁面１４Ｂ側寄り）の位置に定位した状態で揺動する。この際に、前記ロック用係止片１６の先端は操作部材１２の揺動摺動面２１に対して摺接する関係にある。
【００２８】
次いで、操作部材１２の操作押圧面２５を押して操作部材１２を揺動させ、図８(B)(C)に示されるように、操作部材１２のロック状態保持用付勢片２３が前記第２の対向壁面１４Ａ、１４Ｂの他方側（下壁面１４Ｂ）に当接するようになると、ロック状態保持用付勢片２３のバネ性により前記第２の対向壁面１４Ａ、１４Ｂの一方側方向（上壁面１４Ａ側方向）への付勢力を発生させるようになる。
【００２９】
更に操作部材１２を揺動させると、図８(D)に示されるように、、前記ロック用係止片１６が操作部材１２のロック用嵌合部２２に嵌り込むと同時に、前記付勢力により前記軸部２０が前記第２の対向壁面１４Ａ、１４Ｂの一方側（上壁面１４Ａ側）寄りの位置に移動し、操作部材１２が上壁面１４Ａ側寄りに移動する。そして、前記ロック用係止片１６の先端が前記ロック用嵌合部２２に嵌合するとともに、この嵌合状態を保持するようになる。
【００３０】
このロック状態時に、図２に示されるように、操作部材１２の掛止部２４が枠体３の見込み面に設けられた施錠ピン５に係止することにより封鎖板２を枠体３に対して固定する。前記封鎖板２を枠体３に対して固定した状態で、図４(B)に示されるように、前記留め具１の見付け側の面において、前記ケース部材１１の筒状貫通部１５を前記操作部材１２の見付け側の壁面（操作押圧面２５）によって閉鎖するようになっている。なお、前記操作押圧面２５が筒状貫通部１５の全面を閉鎖する必要はなく、本形態例のように筒状貫通部１５の大部分を閉鎖するようにしてもよい。
【００３１】
その後、ロック状態を解除したい場合には、操作部材１２の操作押圧面２５の下端に設けられた凸部状の摘み部２６に指を掛け、下側方向に操作部材１２を移動させ、前記ロック用嵌合部２２とロック用係止片１６との係合を解きながら、そのまま手前側に揺動させると、図８(A)に示される解除状態となる。
【００３２】
〔第２形態例〕
次に、図９〜図１２に基づき、本留め具を開閉扉を閉扉状態にロックするための施錠金具として用いた場合の例について述べる。
【００３３】
図９及び図１０に示されるように、枠体３の開口部に対して、鉛直軸７を回転中心として扉６が開閉自在となっている扉構造において、枠体３側に本発明に係る留め具４を取り付け、前記扉６側に施錠ピン５を取り付け、扉６を閉扉状態とし、留め具４の掛止部材２４を前記施錠ピン５に掛止させて施錠を図るようにする。
【００３４】
本形態例に係る留め具４は、図１１に示されるように、操作部材１２の揺動方向（掛止方向）が前記第１形態例とは逆方向となっている点が相違するだけであり基本的構造は同様である。同機能の部材又は部分について同符号を付して説明を省略し、相違点のみについて説明する。
【００３５】
前記ケース部材１１では、第２の対向壁面１４Ａ、１４Ｂの内の他方側、図示例では下壁面１４Ｂにロック用係止片１６が形成されている。前記操作部材１２は、軸部２０の上部側には、片持ち梁状に側方に突出するとともに、先端が上部側に屈曲するロック状態保持用付勢片２３が形成されているとともに、軸部２０の側方側位置に枠体３の施錠ピン５に係止することにより封鎖板２を枠体３に対して固定する掛止部２４が上向きに形成されている。また、軸部２０の右側に位置する鉛直面２５には、把手状の摘み片２６が設けられている。
【００３６】
図１２(A)に示されるように、解除状態では、前記軸部２０，２０が前記第２の対向壁面１４Ａ、１４Ｂの一方側寄り（上壁面１４Ａ側寄り）の位置に定位した状態で揺動する。この際に、前記ロック用係止片１６の先端は操作部材１２の揺動摺動面２１に対して摺接する関係にある。
【００３７】
次いで、操作部材１２の操作押圧面２５を押して操作部材１２を揺動させ、図１２(B)に示されるように、操作部材１２のロック状態保持用付勢片２３が前記第２の対向壁面１４Ａ、１４Ｂの一方側（上壁面１４Ａ）に当接するようになると、ロック状態保持用付勢片２３のバネ性により前記第２の対向壁面１４Ａ、１４Ｂの他方側方向（下壁面１４Ｂ側方向）への付勢力を発生させるようになる。
【００３８】
更に操作部材１２を揺動させると、図１２(C)に示されるように、前記ロック用係止片１６が操作部材１２のロック用嵌合部２２に嵌り込むと同時に、前記付勢力により前記軸部２０が前記第２の対向壁面１４Ａ、１４Ｂの他方側（下壁面１４Ｂ側）寄りの位置に移動し、操作部材１２が下壁面１４Ｂ側寄りに移動する。そして、前記ロック用係止片１６の先端が前記ロック用嵌合部２２に嵌合するとともに、この嵌合状態を保持するようになる。
【００３９】
このロック状態時に、図１０に示されるように、操作部材１２の掛止部２４が扉６の見込み面に設けられた施錠ピン５に係止することにより扉６を閉扉状態で枠体３に対して固定する。
【００４０】
その後、ロック状態を解除したい場合には、操作部材１２の操作押圧面２５に設けられた摘み片２６を摘んで、上側方向に操作部材１２を移動させ、前記ロック用嵌合部２２とロック用係止片１６との係合を解きながら、そのまま奥側に揺動させると、図１２(A)に示される解除状態となる。
【００４１】
〔他の形態例〕
(1)上記第１形態例では、本留め具１を封鎖板２（パネル状部材）を枠体３に固定するための留め具として用い、第２形態例では本留め具４を開閉扉６を閉扉状態に施錠するための留め具として用いた例について述べたが、本留め具１は他に、例えば網戸を窓枠に取り付けるための留め具として用いたり、天井面に設けた開口を塞ぐパネル部材（天井蓋）の留め具としても用いることができる。
【符号の説明】
【００４２】
１・４…留め具、２…封鎖板、３…枠体、１１…ケース部材、１２…操作部材、１３Ａ・１３Ｂ…第１の対向壁面、１４Ａ・１４Ｂ…第２の対向壁面、１５…筒状貫通部、１６…ロック用係止片、１７・１８…爪片、１９…フランジ部、２０…軸部、２１…揺動摺動面、２２…ロック用嵌合部、２３…ロック状態保持用付勢片、２４…掛止部、２５…操作押圧面
【図１】
0006465709.tif 000002
【図２】
0006465709.tif 000003
【図３】
0006465709.tif 000004
【図４】
0006465709.tif 000005
【図５】
0006465709.tif 000006
【図６】
0006465709.tif 000007
【図７】
0006465709.tif 000008
【図８】
0006465709.tif 000009
【図９】
0006465709.tif 000010
【図１０】
0006465709.tif 000011
【図１１】
0006465709.tif 000012
【図１２】
0006465709.tif 000013